(57)【要約】【課題】光伝送通信装置において、瞬時的に発生した通信障害についても情報収集可能とする。【解決手段】光伝送通信装置において、管理パッケージは、装置設定や動作制御を行い、被管理パッケージの状態情報や警報情報を収集する制御部と、制御部の収集した情報を記憶する運用メモリと、を備え、被管理パッケージは、管理パッケージからの管理情報に基づいて装置設定及び動作を行い、その装置設定及び動作に関する状態情報を管理パッケージに送信する機能実行部と、瞬時障害情報を保存する瞬時障害情報保存メモリと、一定期間以上継続する通信障害を検出すると、警報情報として管理パッケージへ送信し、継続時間が一定期間未満の瞬時通信障害を検出すると、瞬時障害情報として瞬時障害情報保存メモリに保存する通信障害検出部と、を備える。【選択図】      図１
2013192155.tif 000002
【特許請求の範囲】
【請求項１】
管理パッケージと複数の被管理パッケージとを備えた光伝送通信装置であって、
前記管理パッケージは、
装置設定や動作制御を行い、前記被管理パッケージの状態情報や警報情報を収集する制御部と、
前記制御部の収集した情報を記憶する運用メモリと、
を備え、
前記被管理パッケージは、
前記管理パッケージからの管理情報に基づいて装置設定及び動作を行い、その装置設定及び動作に関する状態情報を前記管理パッケージに送信する機能実行部と、
瞬時障害情報を保存する瞬時障害情報保存メモリと、
一定期間以上継続する通信障害を検出すると、前記警報情報として前記管理パッケージへ送信し、継続時間が前記一定期間未満の瞬時通信障害を検出すると、前記瞬時障害情報として前記瞬時障害情報保存メモリに保存する通信障害検出部と、
を備えたことを特徴とする光伝送通信装置。
【請求項２】
前記機能実行部は、前記瞬時障害情報を前記瞬時障害情報保存メモリに保存した際に、前記管理パッケージの前記制御部に対して前記瞬時障害情報を保存したことを通知することを特徴とする請求項１記載の光伝送通信装置。
【請求項３】
前記制御部は、前記機能実行部から、前記瞬時障害情報が保存されたことの通知を受信すると、前記瞬時障害情報保存メモリから、前記瞬時障害情報を読み出すことを特徴とする請求項２記載の光伝送通信装置。
【請求項４】
前記制御部は、前記通信障害検出部から、定期的に前記瞬時通信障害の有無情報を入手して、前記瞬時通信障害が発生している場合は、前記瞬時障害保存用メモリから、前記瞬時障害情報を入手することを特徴とする請求項１記載の光伝送通信装置。
【請求項５】
管理パッケージと複数の被管理パッケージとを備えた光伝送通信装置の障害調査方法であって、
前記管理パッケージは、
装置設定や動作制御を行い、前記被管理パッケージの状態情報や警報情報を収集して記憶し、
前記被管理パッケージは、
前記管理パッケージからの管理情報に基づいて装置設定及び動作を行い、その装置設定及び動作に関する状態情報を前記管理パッケージに送信し、
一定期間以上継続する通信障害を検出すると、前記警報情報として前記管理パッケージへ送信し、
継続時間が前記一定期間未満の通信障害を検出すると、瞬時障害情報として保存することを特徴とする障害調査方法。
【請求項６】
前記被管理パッケージは、前記瞬時障害情報を保存した際に、前記管理パッケージに対して前記瞬時障害情報を保存したことを通知することを特徴とする請求項５記載の障害調査方法。
【請求項７】
前記管理パッケージは、前記被管理パッケージから前記瞬時障害情報が保存されたことの通知を受信すると、前記被管理パッケージから、前記瞬時障害情報を読み出すことを特徴とする請求項６記載の障害調査方法。
【請求項８】
前記管理パッケージは、前記被管理パッケージから、定期的に前記瞬時通信障害の有無情報を入手して、前記瞬時通信障害が発生している場合は、前記被管理パッケージから、前記瞬時障害情報を入手することを特徴とする請求項５記載の障害調査方法。
【発明の詳細な説明】
【技術分野】
【０００１】
本発明は、光通信システムにおける障害発生時の障害調査方法及びその方法を用いる光伝送通信装置に関する。
【背景技術】
【０００２】
光伝送通信装置（ＩＴＵ−Ｔ  Ｇ．７０７及びＧ．７８３規定による光伝送通信信号をＡＤＤ／ＤＲＯＰ、多重する装置）で通信障害が発生した際、障害原因を特定するために管理パッケージが保存している警報情報をもとに調査を行っている。
【０００３】
ここで、通信障害とは、例えば、信号消失（ＬＯＳ：Ｌｏｓｓ  Ｏｆ  Ｓｉｇｎａｌ）や管理ユニットアラーム表示信号（ＡＵ−ＡＩＳ：Ａｄｍｉｎｉｓｔｒａｔｉｏｎ  Ｕｎｉｔ  −  Ａｌａｒｍ  Ｉｎｄｉｃａｔｉｏｎ  Ｓｉｇｎａｌ）等の伝送路（セクション）／パス障害又は装置／パッケージ故障を含み、警報情報とは、例えば、伝送路障害情報、パス障害情報又はパッケージ故障情報を含む。
【０００４】
特許文献１には、通信障害発生時に、オンラインスコープ等の特殊な測定装置を用いずに、伝送データを簡易にログする提案が示されている。
【０００５】
また、特許文献２には、通信障害を再現試験する時に光伝送通信装置のフィールド環境を正確に再現できないという課題を解決する障害調査方法が示されている。
【先行技術文献】
【特許文献】
【０００６】
【特許文献１】特開平０７−０８７０６３号公報
【特許文献２】特開２０１１−０５９８９３号公報
【発明の概要】
【発明が解決しようとする課題】
【０００７】
図５を用いて、関連技術の光伝送通信装置の構成を説明する。
【０００８】
制御端末１は、光伝送通信装置２の管理パッケージ３にある制御部４に対して装置設定情報や制御情報を送り、光伝送通信装置２の装置設定や動作制御を行う。
【０００９】
光伝送通信装置２は、管理パッケージ３と複数の被管理パッケージ６を有する。管理パッケージ３は、制御部４と運用メモリ５を有し、被管理パッケージ６が出力する警報情報を収集する（Ａの経路）。ここで、警報情報とは、例えば、伝送路障害情報、パス障害情報又はパッケージ故障情報を含む。
【００１０】
制御部４は、制御端末１からの装置設定情報や制御情報の指示に従い、各被管理パッケージ６に対して装置設定や動作制御を行うと同時に、運用メモリ５へ装置設定情報や制御情報を送る。また、各被管理パッケージ６から収集した警報情報や状態情報（状態情報とは、被管理パッケージの設定、動作等の現在の状況に関する情報）も運用メモリ５へ送る。
【００１１】
運用メモリ５は制御部４からの装置設定情報や制御情報、警報情報や状態情報をフィールド環境データとして保存する。
【００１２】
被管理パッケージ６は、機能実行部７と通信障害検出部８０を有し、主信号を処理している。機能実行部７は、管理パッケージ３からの管理情報（管理情報とは、装置の動作を制御するために行う装置設定に関する情報）に基づいて装置設定及び動作を行い、装置設定及び動作に関する状態情報を管理パッケージ３に送信する。
【００１３】
通信障害検出部８０は、通信障害を検出（一定の期間である保護時間経過後）すると、警報情報として管理パッケージ３へ送信する（Ａの経路）。
【００１４】
ここで、通信障害の検出に必要な保護時間は、例えば２．５秒を保護時間としている。
【００１５】
図６を用いて、その動作例を説明する。
【００１６】
光伝送通信装置２の被管理パッケージ６で通信障害が発生すると、通信障害検出部８０では通信障害の検出に必要な保護時間以上（例えば２．５秒以上）継続した通信障害を警報情報として管理パッケージ３に送信する。
【００１７】
一方で、保護時間に満たない（例えば２．５秒未満の）通信障害については、瞬時障害情報として外部に配備したモニター用ＰＣ１１に出力する。（Ｂの経路）
本説明では保護時間に満たない（一定の期間内の）通信障害を瞬時障害情報として扱うが、実動作としては保護時間以上の通信障害も瞬時障害情報として出力される。
【００１８】
モニター用ＰＣ１１は、特定の被管理パッケージ６に対して直接アクセス可能である。そのため、通信障害検出部８０への設定として、保護時間に満たない（一定の期間内の）通信障害を瞬時障害情報として外部出力させる設定を行うことで、瞬時的な通信障害の情報収集が可能となる。
【００１９】
ここで、瞬時障害情報とは、光伝送通信装置２の伝送路（セクション）／パス又は装置／パッケージに関して、瞬時的に状態が変化（例えば、ＬＯＳとして検出されないほど瞬時的な信号消失が発生した場合のような状態変化）したことを知らせるための情報である。
【００２０】
このように、関連技術の調査方法では、瞬時的な通信障害については警報情報として検出できない。つまり、瞬時的に発生した通信障害の情報は、管理パッケージ３に保存することができない。
【００２１】
更に瞬時障害情報を収集するためには、事前にモニター用ＰＣからの外部出力設定が必要となるため、瞬時的な通信障害が発生しても、その時点の通信障害の情報を収集できない可能性がある。結果として、瞬時的な通信障害が発生すると、情報不足のため原因の特定にかなりの時間を要すこととなる。
【課題を解決するための手段】
【００２２】
本発明は、管理パッケージと複数の被管理パッケージとを備えた光伝送通信装置であって、管理パッケージは、装置設定や動作制御を行い、被管理パッケージの状態情報や警報情報を収集する制御部と、制御部の収集した情報を記憶する運用メモリと、を備え、被管理パッケージは、管理パッケージからの管理情報に基づいて装置設定及び動作を行い、その装置設定及び動作に関する状態情報を管理パッケージに送信する機能実行部と、瞬時障害情報を保存する瞬時障害情報保存メモリと、一定期間以上継続する通信障害を検出すると、警報情報として管理パッケージへ送信し、継続時間が一定期間未満の瞬時通信障害を検出すると、瞬時障害情報として瞬時障害情報保存メモリに保存する通信障害検出部と、を備えたことを特徴とする。
【００２３】
又、本発明は、管理パッケージと複数の被管理パッケージとを備えた光伝送通信装置の障害調査方法であって、管理パッケージは、装置設定や動作制御を行い、被管理パッケージの状態情報や警報情報を収集して記憶し、被管理パッケージは、管理パッケージからの管理情報に基づいて装置設定及び動作を行い、その装置設定及び動作に関する状態情報を前記管理パッケージに送信し、一定期間以上継続する通信障害を検出すると、警報情報として管理パッケージへ送信し、継続時間が前記一定期間未満の通信障害を検出すると、瞬時障害情報として保存することを特徴とする。
【発明の効果】
【００２４】
本発明によれば、瞬時的に発生した通信障害についても情報収集可能となるため、より詳細な情報から原因調査及び再現試験が可能となるだけでなく、原因特定までの時間を大幅に削減することが可能になる。
【図面の簡単な説明】
【００２５】
【図１】本発明の第１の実施形態における光伝送通信装置の構成を示す図である。
【図２】本発明の第１の実施形態における通信障害検出部の動作を説明するフローチャートである。
【図３】本発明の第１の実施形態における管理パッケージの動作を説明するフローチャートである。
【図４】本発明の第２の実施形態における管理パッケージの動作を示すフローチャートである。
【図５】関連技術となる光伝送通信装置の構成を示す図である。
【図６】関連技術となる光伝送通信装置の構成を示す図である。
【発明を実施するための形態】
【００２６】
以下、本発明の実施形態について図面を参照して説明する。
（第１の実施形態）
図１は、本発明の第１の実施形態における光伝送通信装置の構成を示す図である。
【００２７】
本発明による光伝送通信装置２では、制御端末１は、光伝送通信装置２の管理パッケージ３にある制御部４に対して装置設定情報や制御情報を送り、光伝送通信装置２の装置設定や動作制御を行う。
【００２８】
光伝送通信装置２は、管理パッケージ３と複数の被管理パッケージ６を有する。管理パッケージ３は、制御部４と運用メモリ５を有し、被管理パッケージ６が出力する警報情報を収集する。
【００２９】
制御部４は、制御端末１からの装置設定情報や制御情報の指示に従い、各被管理パッケージ６に対して装置設定や動作制御を行うと同時に、運用メモリ５へ装置設定情報や制御情報を送る。また、各被管理パッケージ６から収集した警報情報や状態情報（状態情報とは、被管理パッケージの設定、動作等の現在の状況に関する情報）も運用メモリ５へ送る。運用メモリ５は制御部４からの装置設定情報や制御情報、警報情報や状態情報をフィールド環境データとして保存する。
【００３０】
被管理パッケージ６は、機能実行部７と通信障害検出部８を有し、主信号を処理している。機能実行部７は、管理パッケージ３からの管理情報（管理情報とは、装置の動作を制御するために行う装置設定に関する情報）に基づいて装置設定及び動作を行い、装置設定及び動作に関する状態情報を管理パッケージ３に送信する。
【００３１】
通信障害検出部８は、関連技術と同様に、保護時間（一定の期間）以上継続する通信障害を検出すると、警報情報として管理パッケージ３へ送信する。加えて、被管理パッケージ６内に瞬時障害情報保存用メモリ９を配備している。
【００３２】
図２は、本発明の通信障害検出部８の動作を説明するフローチャートである。通信障害検出部８は、瞬時的な通信障害（即ち、継続時間が保護時間未満の通信障害）が発生してこれを検出した際(Ｓ２０１)、瞬時障害情報として瞬時障害保存用メモリ９に送り保存させる(Ｓ２０２)。瞬時障害情報保存用メモリ９は、通信障害検出部８からの瞬時障害情報を保存する（図１のＢ’の経路）。同時に、通信障害検出部８は、瞬時通信障害を検出すると、瞬時通信障害が発生し瞬時障害情報を保存したことを管理パッケージ３へ送信し通知する(Ｓ２０３)。
【００３３】
図３は、本発明の管理パッケージ３の動作を説明するフローチャートである。管理パッケージ３は、通信障害検出部８から、瞬時通信障害が発生し瞬時障害情報を保存したことの通知情報を受信する（Ｓ３０１）と、瞬時障害情報保存用メモリ９から、瞬時障害情報を読み出して入手する（Ｓ３０２）。
【００３４】
本実施形態は、関連技術のようにモニター用ＰＣから設定を行わないと瞬時障害の情報を収集できないという欠点を克服するだけでなく、瞬時的な通信障害が発生した時点の通信障害の情報を常時保存することが可能となる。
（第２の実施形態）
本発明の第２の実施形態について、図１及び図４を用いて説明する。本発明の第２の実施形態の構成は、第１の実施形態の光伝送通信装置の構成と同じであるので、図１を用いている。図４は、本発明の第２の実施形態における光伝送通信装置の動作を示すフローチャートである。第２の実施形態において、図３の管理パッケージ３の動作を説明するフローチャートを図４の管理パッケージ３の動作を説明するフローチャートとしたこと以外は第１の実施形態と同様の構成を有する。よって、第１の実施形態と同一の構成要素には同一参照数字を付記してその説明を省略する。
【００３５】
光伝送通信装置２では、制御端末１は、光伝送通信装置２の管理パッケージ３にある制御部４に対して装置設定情報や制御情報を送り、光伝送通信装置２の装置設定や動作制御を行う。
【００３６】
光伝送通信装置２は、管理パッケージ３と複数の被管理パッケージ６を有する。管理パッケージ３は、制御部４と運用メモリ５を有し、被管理パッケージ６が出力する警報情報を収集する。
【００３７】
制御部４は、制御端末１からの装置設定情報や制御情報の指示に従い、各被管理パッケージ６に対して装置設定や動作制御を行うと同時に、運用メモリ５へ装置設定情報や制御情報を送る。また、各被管理パッケージ６から収集した警報情報や状態情報（状態情報とは、被管理パッケージの設定、動作等の現在の状況に関する情報）も運用メモリ５へ送る。運用メモリ５は制御部４からの装置設定情報や制御情報、警報情報や状態情報をフィールド環境データとして保存する。
【００３８】
被管理パッケージ６は、機能実行部７と通信障害検出部８を有し、主信号を処理している。機能実行部７は、管理パッケージ３からの管理情報（管理情報とは、装置の動作を制御するために行う装置設定に関する情報）に基づいて装置設定及び動作を行い、装置設定及び動作に関する状態情報を管理パッケージ３に送信する。
【００３９】
通信障害検出部８は、保護時間（一定の期間）以上継続する通信障害を検出すると、警報情報として管理パッケージ３へ送信する。加えて、被管理パッケージ内に瞬時障害情報保存用メモリ９を配備している。通信障害検出部８は、瞬時的な通信障害（即ち、継続時間が保護時間未満の通信障害）が発生してこれを検出した際、瞬時障害情報として瞬時障害保存用メモリ９に送り保存させる。瞬時障害情報保存用メモリ９は、通信障害検出部８からの瞬時障害情報を保存する。
【００４０】
図４は、本発明の第２の実施形態における管理パッケージ３の動作を説明するフローチャートである。管理パッケージ３内の制御部４は、通信障害検出部８から、定期的に瞬時通信障害の有無情報を入手して（Ｓ４０１）、瞬時通信障害の有無を判断し（Ｓ４０２）、瞬時通信障害が発生している場合は、瞬時障害情報保存用メモリ９から、瞬時障害情報を読み出して入手する（Ｓ４０３）。
【００４１】
このような動作を行えば、制御部４は、定期的かつ計画的に瞬時通信障害の情報を入手することが可能なので、管理パッケージ３の運用メモリ５を効率的に利用することができる。管理パッケージ３が、多数の被管理パッケージ６を扱う場合等には、有効となってくる。
【００４２】
尚、本願発明は、上述の実施の形態に限定されるものではなく、本願発明の要旨を逸脱しない範囲で種々変更、変形して実施することが出来る。
【符号の説明】
【００４３】
１    制御端末
２    光伝送通信装置
３    管理パッケージ
４    制御部
５    運用メモリ
６    被管理パッケージ
７    機能実行部
８    通信障害検出部
９    瞬時障害情報保存用メモリ
【図１】
2013192155.tif 000003
【図２】
2013192155.tif 000004
【図３】
2013192155.tif 000005
【図４】
2013192155.tif 000006
【図５】
2013192155.tif 000007
【図６】
2013192155.tif 000008